(57)【要約】【課題】硬質ガラス用封着材に接続可能であって、耐食性および加工性に優れ、かつコスト高を招くことのない外部リード線を有する封着用リード線およびこのリード線を有する冷陰極蛍光ランプを提供する。【解決手段】封着用リード線３は、コバール、タングステンまたはモリブデンからなる封着材４と；鉄−ニッケル芯線５ａの表面に銅層５ｂが被覆され、この銅層５ｂの表面にニッケル層５ｃが被覆されており、封着材４の外側端部に接続された外部リード線５と；を具備している。封着材４の外側端部に接続される外部リード線５に鉄−ニッケル芯線５ａに銅層５ｂおよびニッケル層５ｃを被覆したリード線を用いたので、溶接接続に問題が無く、耐食性および加工性に優れているとともに、コストを抑えることが可能となる。【選択図】図２
2005025976.tif 000002
【特許請求の範囲】
【請求項１】
コバール、タングステンまたはモリブデンからなる封着材と；
鉄−ニッケル芯線の表面に銅層が被覆され、この銅層の表面にニッケル層が被覆されており、封着材の外側端部に接続された外部リード線と；
を具備していることを特徴とする封着用リード線。
【請求項２】
内面に蛍光体層が形成された硬質ガラス製のバルブと；
このバルブの内部に封入された放電媒体と；
前記バルブの両端にそれぞれ気密に封着された請求項１記載の封着用リード線と；
前記リード線の内側端部それぞれに接続された冷陰極と；
を具備していることを特徴とする冷陰極蛍光ランプ。
【発明の詳細な説明】
【０００１】
【発明の属する技術分野】
本発明は、冷陰極放電ランプなどの管球製品に使用される封着用リード線およびこのリード線を用いた冷陰極蛍光ランプに関する。
【０００２】
【従来の技術】
近年、液晶表示装置（以下ＬＣＤと略称する。）を用いた小形のパソコンやテレビなどは薄形化や高輝度のカラー化がすすめられている。このＬＣＤを照明するためのバックライト装置に使用される小形の蛍光ランプには、小形化が容易であって寿命特性にも優れた冷陰極蛍光ランプが多用されている。
【０００３】
冷陰極蛍光ランプは電極が冷陰極であるためバルブ径を小さくすることが可能であり、バルブ内径が１２ｍｍ以下、たとえば、５ｍｍ以下の極めて細径のランプも開発されている。そして、冷陰極蛍光ランプの小形、高出力化に伴い、バルブを構成するガラスも軟質ガラスよりも石英ガラスやホウケイ酸ガラスのような硬質ガラスを使用する傾向にある。このように硬質ガラスをバルブに使用した冷陰極蛍光ランプの封着用リード線としては、封着材にコバール（鉄、ニッケル、コバルト合金）やタングステン、タンタル、ニオブまたはモリブデンを封着材に用いたものが提案されている（例えば特許文献１参照）。
【０００４】
この従来技術においては、硬質ガラス用封着材の外側端部に接続される外部リード線にニッケル線が使用されている。
【０００５】
また、軟質ガラスバルブ用の封着部材として、鉄−ニッケル芯線に２０〜２５質量％の銅層を被覆し、さらに銅層の表面に０．１〜１．０μｍのニッケル層を被覆した封着用リード線も知られている（例えば特許文献２参照）。
【０００６】
【特許文献１】特開２００３−１５１４９６号公報（第４頁）
【０００７】
【特許文献１】特開平９−２４５７４８号公報（第４頁）
【０００８】
【発明が解決しようとする課題】
上記従来技術のように、外部リード線にニッケル線を用いた封着用リード線は、外部リード線の耐食性がよいので外観性は良好であるが、外部リード線が柔らかすぎるので外部リード線を一定の形状に一時的に保持させておくのが困難であり、配線作業時において加工し難いという問題がある。
【０００９】
一方、鉄−ニッケル芯線に２０〜２５質量％の銅を水素還元雰囲気下で被覆した外部リード線を用いた封着用リード線が知られている。この封着用リード線の外部リード線は、ある程度の剛性を有しているので配線作業時の折り曲げ形状が一時的に保持可能であるため加工がしやすく、実際に多く使用されている。
【００１０】
しかし、この外部リード線の表層は銅であるため、変色しやすく、外観性に問題がある。銅層の表面を特殊なメッキ加工を施すことで耐食性を向上させることも可能であるが、コストが高くなるため現実的ではない。
【００１１】
本発明は上記問題に鑑みなされたもので、硬質ガラス用封着材に接続可能であって、耐食性および加工性に優れ、かつコスト高を招くことのない外部リード線を有する封着用リード線およびこのリード線を有する冷陰極蛍光ランプを提供することを目的とする。
【００１２】
【課題を達成するための手段】
請求項１の封着用リード線は、コバール、タングステンまたはモリブデンからなる封着材と；鉄−ニッケル芯線の表面に銅層が被覆され、この銅層の表面にニッケル層が被覆されており、封着材の外側端部に接続された外部リード線と；を具備したことを特徴とする。
【００１３】
コバールとは、鉄（Ｆｅ）、ニッケル（Ｎｉ）、コバルト（Ｃｏ）からなる合金であって「Ｋｏｖ」とも称される封着用金属であり、その組成はニッケル２８〜３０質量％、コバルト１５〜１８質量％、残部が鉄からなる。
【００１４】
このコバールや、タングステン（Ｗ）またはモリブデン（Ｍｏ）は、硬質ガラスバルブの封着材（封着線）として使用されることが知られているが、外側端部への接続が良好であって、耐食性および加工性に優れ、かつコスト高を招くことのない外部リード線は知られていなかった。
【００１５】
そこで、発明者は種々の材料を硬質ガラスバルブ用封着部に接続して試験をしてみたところ、鉄−ニッケル芯線に銅層およびニッケル層を被覆したリード線が外側端部への接続に問題が無く、耐食性および加工性に優れていることを見出した。特にこのリード線は軟質ガラスバルブ用の封着部材として多用されているものであるため、コストも比較的低く済むことから、耐食性を確保するために特殊なメッキ加工を施したリード線材料に比べてコストを抑えることが可能となる。
【００１６】
請求項２の冷陰極蛍光ランプは、内面に蛍光体層が形成された硬質ガラス製のバルブと；このバルブの内部に封入された放電媒体と；前記バルブの両端にそれぞれ気密に封着された請求項１記載の封着用リード線と；前記リード線の内端部それぞれに接続された冷陰極と；を具備していることを特徴とする。
【００１７】
請求項２の発明は、請求項１の封着用リード線を備えた冷陰極蛍光ランプを提供することができる。
【００１８】
【発明の実施の形態】
以下、本発明の一実施形態について図面を参照して説明する。図１は本実施形態の冷陰極蛍光ランプを示す一部断面図、図２は図１の冷陰極蛍光ランプの外部リード線を示す拡大断面図である。
【００１９】
Ｌは冷陰極蛍光ランプであり、たとえば直管形の消費電力が５Ｗ以下、例えば２．５Ｗである。このランプＬは外径が２．６ｍｍ、内径が約１．６ｍｍ、長さが約２００ｍｍのホウ珪酸ガラス（熱膨張率約４×１０−６）等からなる硬質ガラス製の管形バルブ１を有している。管形バルブ１の両端は、封着用リード線３の封着材４に溶着されたビードガラス２によって封止されている。
【００２０】
このバルブ１の内壁面には青色、緑色、赤色に発光領域を有する蛍光体を混合した３波長形蛍光体層Ｐが形成されている。また、このバルブ１内にはネオン（Ｎｅ）およびアルゴン（Ａｒ）の混合ガスが約８０００Ｐａと水銀が封入されている。
【００２１】
封着用リード線３、３に使用される封着材４は、Ｋｏｖ線（コバールの組成Ｆｅ約５３質量％、Ｎｉ約２８質量％、Ｃｏ約１８質量％）であり、線径約０．６ｍｍ、長さ約４ｍｍの線材料である。この封着材４の外側端部に外部リード線５が溶接接続されている。外部リード線５は、４２質量％のＮｉ−Ｆｅ芯線５ａに、２３質量％のＣｕ層５ｂを約２２μｍ被覆し、その後Ｎｉ層５ｃを約２μｍ被覆した線径０．４ｍｍのリード線である。電極６は、タングステン（Ｗ）またはニッケル（Ｎｉ）製のスリーブであり、封着材４の内側端部に接続して設けられている。
【００２２】
なお、封着材４はタングステン（Ｗ）製またはモリブデン（Ｍｏ）製であってもよく、タングステン（Ｗ）製の場合にあっては封着材４とタングステン製の電極６とが一体的に形成されていてもよい。
【００２３】
蛍光ランプＬは、バックライト装置の光源として組み込まれて使用される。バックライト装置は、パソコンやテレビなどの液晶表示装置として、所定のディスプレイ装置として使用され高効率な照明効果が得られる。
【００２４】
次に本実施形態の作用効果について説明する。ランプＬのバルブ１は硬質ガラス製であって、封着材４としてコバール（Ｋｏｖ）、タングステン（Ｗ）またはモリブデン（Ｍｏ）が使用される。鉄−ニッケル芯線５ａに銅層５ｂおよびニッケル層５ｃを被覆して構成された上記外部リード線５がこの硬質ガラス用の封着材４との組合せにおいて問題が生じないか試験をしてみたところ、溶接接続は良好で問題が無く、耐食性および加工性にも優れていることが確認できた。
【００２５】
特にこの外部リード線５は、軟質ガラスバルブ用の封着部材として多用されているものであるため、コストも比較的低く済むことから、耐食性を確保するために特殊なメッキ加工を施したリード線材料に比べてコストを抑えることが可能となる。
【００２６】
なお、本発明は上記実施形態に限定されない。たとえば、封止部としてのビードガラス２は必ず必要ではなく、封着材４がガラスバルブの端部にそのまま封止される形態であってもよい。また、ランプＬは冷陰極形の蛍光ランプに限らず、放電維持媒体としては水銀以外の発光物質を封入していてもあるいはキセノンガスなどを封入した希ガス発光によるランプなど他種の細管形の放電ランプに適用できる。また、バルブの形状は直管形に限らずＵ字形、Ｗ字形、環形などに屈曲してあってもよい。
【００２７】
【発明の効果】
本発明の封着用リード線は、コバール、タングステンまたはモリブデンからなる封着材の外側端部に接続される外部リード線に鉄−ニッケル芯線に銅層およびニッケル層を被覆したリード線を用いたので、溶接接続に問題が無く、耐食性および加工性に優れているとともに、コストを抑えることが可能となる。
【図面の簡単な説明】
【図１】本発明の冷陰極蛍光ランプの実施形態を示す一部切欠正面図である。
【図２】図１のランプに使用される外部リード線を示す正面断面図である。
【符号の説明】
Ｌ…ランプ、１…ガラスバルブ、２…封止部としてのガラスビード、３…封着用リード線、４…封着材、５…外部リード線、６…電極。
【図１】
2005025976.tif 000003
【図２】
2005025976.tif 000004